(57)【要約】  【課題】  撮像システムを軽量化する。  【解決手段】  本発明の撮像システム１００は、撮像装置１と映像表示部２との間が、電源３からの電源電力を供給するとともに撮像装置１からの映像信号を重畳して伝送する電源線４によって接続された電源重畳伝送方式の撮像システム１００であって、映像表示部２に設けられた、映像表示部２に入力する映像信号を撮像装置１からの映像信号または他の映像信号に切り換える映像信号スイッチ回路２２と、操作者の操作に応じて映像信号スイッチ回路２２に、映像信号スイッチ回路２２が映像表示部２に撮像装置１からの映像信号を入力するかまたは他の映像信号を入力するかを制御する制御信号を与える制御信号スイッチ回路５とを具備する。これにより、撮像システム１００を軽量化することができる。【選択図】  図１
2014131131.tif 000002
【特許請求の範囲】
【請求項１】
撮像装置と映像表示部との間が、電源からの電源電力を供給するとともに前記撮像装置からの映像信号を重畳して伝送する電源線によって接続された電源重畳伝送方式の撮像システムであって、
前記映像表示部に設けられた、前記映像表示部に入力する映像信号を前記撮像装置からの映像信号または他の映像信号に切り換える映像信号スイッチ回路と、
操作者の操作に応じて前記映像信号スイッチ回路に、該映像信号スイッチ回路が前記映像表示部に前記撮像装置からの映像信号を入力するかまたは前記他の映像信号を入力するかを制御する制御信号を与える制御信号スイッチ回路と、
を具備することを特徴とする撮像システム。
【請求項２】
前記撮像装置と前記電源線との間に設けられた、前記電源線から前記撮像装置への電源電力の供給をオン／オフする電源スイッチ回路をさらに具備し、
前記制御信号スイッチ回路は、前記電源スイッチ回路に、前記映像信号スイッチ回路が前記映像表示部に前記撮像装置からの映像信号を入力するときに前記電源スイッチ回路が前記撮像装置への電源の供給をオンにし、前記映像信号スイッチ回路が前記映像表示部に前記他の映像信号を入力するときに前記電源スイッチ回路が前記撮像装置への電源の供給をオフにするように制御する第２の制御信号を与えることを特徴とする請求項１に記載の撮像システム。
【請求項３】
前記映像表示部と前記電源線との間に、前記電源線から直流遮断コンデンサおよび帯域通過フィルタを介して前記映像表示部に前記撮像装置からの映像信号を伝送する映像信号分離回路をさらに具備することを特徴とする請求項１または請求項２に記載の撮像システム。
【請求項４】
前記撮像装置と前記電源線との間に、前記撮像装置から映像信号増幅器および直流遮断コンデンサを介して前記電源線に前記撮像装置からの映像信号を重畳する映像信号重畳回路をさらに具備することを特徴とする請求項１乃至請求項３のいずれかに記載の撮像システム。
【請求項５】
前記電源スイッチ回路が、前記電源線から低域通過フィルタおよび降圧回路を介して前記撮像装置に電源電力を供給する電源回路を含むことを特徴とする請求項１乃至請求項４のいずれかに記載の撮像システム。
【請求項６】
前記映像表示部が車載用映像表示部であり、前記撮像装置が車載リアビューカメラであることを特徴とする請求項１乃至５のいずれかに記載の撮像システム。
【請求項７】
前記車載用映像表示部がカーナビゲーションシステムの画像表示部であることを特徴とする請求項６に記載の撮像システム。
【発明の詳細な説明】
【技術分野】
【０００１】
本発明は、例えば、リアビューカメラとして車両等に搭載される撮像システムに関するものである。
【背景技術】
【０００２】
上記リアビューカメラ等に用いられる撮像システムとしては、例えば、特許文献１に記載の車載後方監視テレビ装置が挙げられる。特許文献１に記載の車載後方監視テレビ装置は、モニタテレビとカメラとを備えている。
【先行技術文献】
【特許文献】
【０００３】
【特許文献１】実開平２−４２８４７号公報
【発明の概要】
【発明が解決しようとする課題】
【０００４】
撮像システムは、例えば、車載用として用いられることから、軽量化が求められている。ここで、特許文献１に記載の車載後方監視テレビ装置（撮像システム）においては、モニタテレビ（映像表示部）とカメラ（撮像装置）とが伝送ケーブルによって接続されている。映像表示部と撮像装置とが離れた位置に配置されている場合には、この伝送ケーブルの重量が重くなることによって、撮像システムを軽量化することが困難になっていた。
【課題を解決するための手段】
【０００５】
本発明の一態様の撮像システムは、撮像装置と映像表示部との間が、電源からの電源電力を供給するとともに前記撮像装置からの映像信号を重畳して伝送する電源線によって接続された電源重畳伝送方式の撮像システムであって、前記映像表示部に設けられた、前記映像表示部に入力する映像信号を前記撮像装置からの映像信号または他の映像信号に切り換える映像信号スイッチ回路と、操作者の操作に応じて前記映像信号スイッチ回路に、該映像信号スイッチ回路が前記映像表示部に前記撮像装置からの映像信号を入力するかまたは前記他の映像信号を入力するかを制御する制御信号を与える制御信号スイッチ回路とを具備することを特徴とする。
【発明の効果】
【０００６】
本発明の一態様の撮像システムによれば、撮像装置と映像表示部との間が、電源からの電源電力を供給するとともに撮像装置からの映像信号を重畳して伝送する電源線によって接続されていることによって、撮像装置からの映像信号を映像表示部へ伝送するために専用の伝送ケーブルを設ける必要がない。さらに、映像表示部に入力する映像信号を撮像装置からの映像信号または他の映像信号に切り替える映像信号スイッチと、この映像信号スイッチ回路を制御する制御信号スイッチ回路を具備していることから、映像表示部に撮像装置からだけでなく他の機器から発せられた映像信号を入力することができる。そのため、他の機器と撮像装置との間で映像表示部を兼用することができる。これらの結果、撮像システムを軽量化することができる。
【図面の簡単な説明】
【０００７】
【図１】本発明の一実施形態の撮像システムを示す回路図である。
【図２】図１に示した撮像システムの制御信号スイッチ回路を示す回路図である。
【図３】図１に示した撮像システムの電源スイッチ回路および映像信号重畳回路を示す回路図である。
【図４】図１に示した撮像システムの映像信号分離回路を示す回路図である。
【発明を実施するための形態】
【０００８】
以下、本発明の一実施形態の撮像システムについて図面を参照して詳細に説明する。
【０００９】
図１に示す本実施形態においては、撮像システム１００は車載用として用いられている。図１は、本発明の一実施形態の撮像システム１００を示す回路図である。図１に示すように、本発明の一実施形態の撮像システム１００は、撮像装置１と映像表示部２とを備えている。撮像装置１と映像表示部２との間は、直流電源である電源３からの電源電力を供給するとともに撮像装置１からの映像信号を重畳して伝送する電源線４によって接続されている。このため、撮像装置１と映像表示部２との間に別途、撮像装置１から映像表示部２への映像信号を伝送するための伝送ケーブルを設ける必要がない。その結果、撮像システム１００を軽量化できる。これにより、撮像システム１００を車載用として用いた場合には、撮像システム１００を搭載した車の燃費の向上に寄与することができる。
【００１０】
撮像装置１は、撮像を行なうための部分である。本実施形態においては、撮像装置１は、車載リアビューカメラである。
【００１１】
映像表示部２は、撮像装置１から発せられた映像信号を受けて、撮像装置１が撮像した映像を表示するための部分である。映像表示部２は、映像を表示するモニター２１と映像信号スイッチ回路２２とを備えている。モニター２１としては、例えば、液晶表示装置等が用いられる。映像信号スイッチ回路２２は、モニタ２１に入力する映像信号を撮像装置１からの映像信号または他の映像信号に切り替えるための回路である。
【００１２】
本実施形態の映像表示部２は、例えばモニタテレビ、カーナビゲーションシステム、デジタルテレビ放送あるいはインターネットブラウザなどの車載用映像表示部２である。図１に示した本実施形態の車載用映像表示部２は、カーナビゲーションシステムの画像表示部である。すなわち、本実施形態においては、映像信号スイッチ回路２２は、モニター２１に入力する映像信号を車載リアビューカメラからの映像信号またはカーナビゲーションシステム等の映像信号に切り替えるための回路として機能する。つまり、映像表示部２は、撮像装置１の映像表示部２とカーナビゲーションシステムの画像表示部とを兼ねている。これにより、撮像システム１００が軽量化されている。
【００１３】
映像信号スイッチ回路２２は、映像信号スイッチ回路２２に制御信号を与えるための制御信号スイッチ回路５に接続されている。制御信号スイッチ回路５は、操作者の操作に応じて映像信号スイッチ回路２２に、映像信号スイッチ回路２２がモニタ２１に撮像装置１からの映像信号を入力するかまたは他の映像信号を入力するかを制御する機能を有している。本実施形態においては、映像信号スイッチ回路２２は、映像表示部２に車載リアビューカメラからの映像信号を入力するかまたはカーナビゲーションシステムからの映像信号を入力するかを制御する機能を有している。ここで、操作者の操作としては、例えばトランスミッションをリバースギアに切り換えることが挙げられ、これによって、車両後方のモニター画像をリアビューカメラである撮像装置１によって映像表示部２で確認することができるようにするものである。また、操作者の操作としては、走行中に後方の状況を確認したいときに、撮像装置１による映像を表示するようにコントロールパネルのスイッチを操作することなども挙げられる。なお、制御信号スイッチ回路５の詳細は後述する。
【００１４】
撮像装置１と電源線４との間には、電源スイッチ回路６が設けられている。電源スイッチ回路６は、電源線４から撮像装置１への電源電力の供給をオン／オフするための部分である。電源スイッチ回路６の制御は、制御信号スイッチ回路５から第２の制御信号が発せられることによって行なわれる。具体的には、制御信号スイッチ回路５は、映像表示部２
に接続されたスイッチ５１と、スイッチ５１と電源線４との間に設けられたスイッチ信号検出部５２とを有している。このスイッチ５１のオン／オフを切り替えることによって、前述の映像信号スイッチ回路２２へ制御信号を送ることができる。このとき、スイッチ５１と接続されたスイッチ信号検出部５２がスイッチ５１のオン／オフに対応した第２の制御信号を発する。第２の制御信号が発せられるメカニズムは以下の通りである。具体的には、スイッチ信号検出部５２は、図２に示すように、インバーター５２１、ワンショットマルチバイブレーター５２２および直流遮断コンデンサ５２３を有する。スイッチ５１のオン／オフを切り替えると、インバーター５２１によりスイッチ信号検出部５２の内部で信号が反転することによって、ワンショットマルチバイブレーター５２２がパルスを発生する。このパルスが直流遮断コンデンサ５２３を通過して電源線４に送出される。以上のようにして、スイッチ信号検出部５２から第２の制御信号を発することができる。
【００１５】
そして、制御信号スイッチ回路５から発せられた第２の制御信号は、撮像装置１と電源線４との間に設けられた電源スイッチ回路６で受信される。ここで、電源線４は直流の電流を流す線路であることから、パルス状の信号である第２の制御信号を選択的に取り出すために、電源スイッチ回路６は選択的にパルスを取り出す回路機能が求められる。
【００１６】
そこで、電源スイッチ回路６は、図３に示すように、低域通過フィルタ６１と降圧回路６２とスイッチ回路６３とを含んでいてもよい。スイッチ回路６３の内部には、ラッチ回路および電界効果トランジスタが設けられている。第２の制御信号を受信して電源スイッチ回路６が作動するメカニズムは以下の通りである。低域通過フィルタ６１を通過した第２の制御信号を受信すると、スイッチ回路６３のラッチ回路の出力がオンになり、降圧回路６２により降圧された電圧がスイッチ回路６３の電界効果トランジスタに加わる。電界効果トランジスタのゲートにラッチ回路の信号が加わることによって、電界効果トランジスタがオンになる。これにより、撮像装置１に電力を供給する。
【００１７】
以上のように第２の制御信号を受信して電源スイッチ回路６を動作させるができる。これにより、電源線４から撮像装置１への電源電力の供給をオン／オフすることができる。このように、制御信号スイッチ回路５を切り換えることによって、映像表示部２に入力する映像信号を制御すると同時に、撮像装置１のオン／オフを切り替えることができる。これにより、映像表示部２に撮像装置１で撮像した映像を表示させたいときだけ、撮像装置１の電源をオンにすることができる。その結果、撮像システム１００を省エネルギー化することができる。さらに、本実施形態においては第２の制御信号が電源線４によって電源スイッチ回路６に伝送されている。そのため、別途ケーブル設ける必要がなく、撮像システム１００を軽量化することができる。
【００１８】
また、撮像システム１００は、さらに、映像表示部２と電源線４との間に映像信号分離回路７を備えている。図４に示すように、映像信号分離回路７は、電源線４から直流遮断コンデンサ７１および帯域通過フィルタ７２を介して映像表示部２に撮像装置１からの映像信号を伝送する。撮像システム１００は、映像信号分離回路７備えていることによって電源線４より撮像装置１から発せられた映像信号を選択的に取り出すことができる。
【００１９】
また、撮像システム１００は、さらに、撮像装置１と電源線４との間に、映像信号重畳回路８を備えている。図３に示すように、映像信号重畳回路８は、撮像装置１から映像信号増幅器８１および直流遮断コンデンサ８２を介して電源線４に撮像装置１からの映像信号を重畳する。撮像システム１００は、映像信号重畳回路８を備えていることによって映像信号を電源線４へ重畳させることができる。
【００２０】
なお、本発明は上述の実施形態に限定されるものではなく、本発明の要旨を逸脱しない範囲において種々の変更、改良等が可能である。例えば、上述の実施形態においては、撮
像システム１００が車載用の撮像システム１００であったが、これに限られない。例えば、航空機、船舶または工事車両に用いることができる。
【００２１】
また、本実施形態においては、電源線４から選択的に映像信号を取り出すために、直流遮断コンデンサ８２を用いたがこれに限られない。例えば、絶縁トランス等を用いてもよい。また、スイッチ回路６３の内部に電界効果トランジスタを用いたがこれに限られない。例えば、バイポーラトランジスタ等を用いてもよい。
【符号の説明】
【００２２】
１： 撮像装置
２：映像表示部
２１：モニター
２２：映像信号スイッチ回路
３：電源
４：電源線
５：制御信号スイッチ回路
５１：スイッチ
５２：スイッチ信号検出部
５２１：インバーター
５２２：ワンショットマルチバイブレーター
５２３：直流遮断コンデンサ
６：電源スイッチ回路
６１：低域通過フィルタ
６２：降圧回路
６３：スイッチ回路
７：映像信号分離回路
７１：直流遮断コンデンサ
７２：帯域通過フィルタ
８：映像信号重畳回路
８１：映像信号増幅器
８２：直流遮断コンデンサ
１００：撮像システム
【図１】
2014131131.tif 000003
【図２】
2014131131.tif 000004
【図３】
2014131131.tif 000005
【図４】
2014131131.tif 000006